【事件の表示】
　特願２００５−１１２９０６「画像処理装置」拒絶査定不服審判事件〔平成１７年　９月　８日出願公開、特開２００５−２４５０２５〕について、次のとおり審決する。
【結　論】
　本件審判の請求は、成り立たない。
【理　由】
第１．手続の経緯
　本願は、平成１２年１２月２８日に出願した特願２０００−３９９６４７号の一部を平成１７年４月８日に新たに特許出願としたものであって、平成１９年８月３１日付けの拒絶理由の通知に対し、平成１９年１１月２日付けで手続補正がなされ、平成２０年４月１７日付けの拒絶理由の通知に対し、平成２０年６月２０日付けで手続補正がなされ、平成２０年７月９日付けで拒絶査定がなされ、これに対し、平成２０年８月８日に審判請求がなされ、平成２０年９月８日付けで手続補正がなされたものである。
　
第２．平成２０年９月８日付けの手続補正についての補正却下の決定
［補正却下の決定の結論］
　　平成２０年９月８日付けの手続補正を却下する。
［理由］
１．補正の内容
　上記手続補正により特許請求の範囲が補正されたが、当該補正前の請求項１ないし７、及び、補正後の請求項１の記載は次のとおりである。
　
（１）補正前の請求項１ないし７
「　【請求項１】
　読取られた若しくは、コンピュータから送られた画像データを出力する画像処理装置において、
　上記画像データが白黒のみのデータ、すなわち黒単色のモノクロデータであるか、それ以外のカラーを含むデータであるかを識別する画像識別手段と、
　モノクロ以外のカラーを含むデータに基づいて第１の単色カラーと第２の単色カラーとからなる２色画像データを生成する２色画像データ生成手段と、
　上記２色画像データ生成手段により生成された２色画像データを記録紙に出力する２色画像データ出力手段と、
　上記画像識別手段が、上記画像データを白黒以外のカラーを含むデータであると識別している場合、ユーザーによる２色画像データ出力部数の入力を受け付ける受付手段と、
　を有し、
　上記２色画像データ出力手段は上記受付手段によって受け付けられた部数出力するものである、画像処理装置。
　　【請求項２】
　前記２色画像データ生成手段は、第１の単色カラーに黒を用い、第２の単色データに黒以外のユーザーが選択した色を用いて生成することを特徴とする請求項１に記載の画像処理装置。
　　【請求項３】
　前記２色画像データ生成手段は、第２の単色カラーを、２種類以上の単色カラーを混合して生成することを特徴とする請求項１又は２記載の画像処理装置。
　　【請求項４】
　前記２色画像データ生成手段は、上記第１の単色カラーと第２の単色カラーのどちらにも該当しない色成分のデータについては第１の単色カラーに変換して生成することを特徴とする請求項１乃至３の何れかに記載の画像処理装置。
　　【請求項５】
　上記２色画像データ生成手段において、前記第１の単色カラーに黒を用い、前記第２の単色カラーに赤を用いることを特徴とする請求項１、３、４の何れかに記載の画像処理装置。
　　【請求項６】
　上記２色画像データ生成手段において、前記第１の単色カラーに黒を用い、前記第２の単色カラーに青を用いることを特徴とする請求項１、３、４の何れかに記載の画像処理装置。
　　【請求項７】
　上記２色画像データ生成手段において、前記第１の単色カラーに黒を用い、前記第２の単色カラーに緑を用いることを特徴とする請求項１、３、４の何れかに記載の画像処理装置。」
　
（２）補正後の請求項１
「　【請求項１】
　読取られた若しくは、コンピュータから送られた画像データを出力する画像処理装置において、
　上記画像データが白黒のみのデータ、すなわち黒単色のモノクロデータであるか、それ以外のカラーを含むデータであるかを識別する画像識別手段と、
　前記画像データを白黒以外のカラーを含む画像データであると判別している場合には、カラーデータを第１の単色モードにて出力し、白黒データを第２の単色モードにて出力するよう、第１の単色カラーと第２の単色カラーとからなる２色画像データを生成し、ユーザーの選択により決定される単色カラー分のトナーを除いて出力する出力制御手段と、
　第１の単色カラーと第２の単色カラーを用いた２色モードおよびモノクロ出力モードおよび／またはフルカラー出力モードからユーザーが出力モードを選択可能であり、上記画像識別手段による判別結果と、ユーザーにより選択された出力モードに基づく課金金額をあわせて表示する表示手段と、
　ユーザーによる２色画像データ出力部数の入力を受け付ける受付手段と、
　を有し、
　上記出力制御手段は上記受付手段によって受け付けられた部数出力するものである、画像処理装置。」
　
２．補正の適否
　上記補正後の請求項１の発明を特定するために必要な事項である「第１の単色カラーと第２の単色カラーを用いた２色モードおよびモノクロ出力モードおよび／またはフルカラー出力モードからユーザーが出力モードを選択可能であり、上記画像識別手段による判別結果と、ユーザーにより選択された出力モードに基づく課金金額をあわせて表示する表示手段」は、補正前の請求項１ないし７の何れにも記載された事項ではないから、請求項１の補正は、請求項の削除を目的とする補正に伴い請求項の番号が変更されたものではない。
　また、上記「・・表示手段」は、補正前の請求項に存在しない新たな手段であって、補正前の請求項１ないし７の発明を特定するために必要な事項を限定するものではないから、発明を特定するために必要な事項を限定する特許請求の範囲の減縮を目的とする補正でもない。
　請求項１の補正は、誤記の訂正、明りようでない記載の釈明を目的とする補正でないことは明らかである。
　したがって、本件補正は、平成１８年法律第５５号改正附則第３条第１項によりなお従前の例によるとされる同法による改正前の特許法（以下、平成１８年改正前特許法という）第１７条の２第４項第１号ないし第４号に規定された何れの目的にも該当するものではない。
　
　以上のとおり、本件補正は、平成１８年改正前特許法第１７条の２第４項の規定に違反してなされたものであるから、同法第１５９条第１項において読み替えて準用する同法第５３条第１項の規定により却下すべきものである。
　
第３．本願発明について
１．本願発明
　平成２０年９月８日付けの手続補正は上記のとおり却下されたので、本願の請求項に係る発明は、平成２０年６月２０日付け手続補正書の特許請求の範囲の請求項１ないし７に記載された事項により特定されるものであるところ、その請求項１に係る発明（以下、本願発明という）は、次のとおりである。
　
「読取られた若しくは、コンピュータから送られた画像データを出力する画像処理装置において、
　上記画像データが白黒のみのデータ、すなわち黒単色のモノクロデータであるか、それ以外のカラーを含むデータであるかを識別する画像識別手段と、
　モノクロ以外のカラーを含むデータに基づいて第１の単色カラーと第２の単色カラーとからなる２色画像データを生成する２色画像データ生成手段と、
　上記２色画像データ生成手段により生成された２色画像データを記録紙に出力する２色画像データ出力手段と、
　上記画像識別手段が、上記画像データを白黒以外のカラーを含むデータであると識別している場合、ユーザーによる２色画像データ出力部数の入力を受け付ける受付手段と、
　を有し、
　上記２色画像データ出力手段は上記受付手段によって受け付けられた部数出力するものである、画像処理装置。」
  
２．刊行物
　これに対して、原査定の拒絶の理由で引用された本願の出願日前に頒布された刊行物である特開平９−１３０６２３号公報（以下、刊行物１という）には、図面とともに、次のア〜オの事項が記載されている。
ア．「【０００１】
【発明の属する技術分野】本発明は，所定の色で構成された複製画を出力するカラー複写機に関し，特に，より優れた操作性で良好な画像を得ることのできるカラー複写機に関する。」
　
イ．「【００３５】次に図２を参照すると，本実施例のカラー複写機の電装部は，主に，上述したスキャナユニット１０１，画像処理ユニット１１１，プリンタユニット１０２，処理モード選択等の入力の検出及び表示を行う操作表示ユニット２０１，並びに，これら各ユニットの制御回路と通信を行いカラー複写機２０２の全体の動作を制御するシステム制御ユニット２０３を含んでいる。尚，本実施例のカラー複写機２０２は，ＬＡＮ（ローカル・エリア・ネットワーク）接続装置２０４と接続されており，ＬＡＮ２０５に接続されたワークステーション２０６やパーソナルコンピュータ２０７等の他の機器と，ＬＡＮ接続装置２０４を介して画像信号の入出力を行なう。」
　
ウ．「【００４２】色補正回路２１４では，γ変換回路２１２からの画像信号を，上述の如く選択される現像部に応じたトナーの記録量に変換する色補正処理を行なうと共に，エッジ強調や平滑化等の２次元フィルタ処理等も行なう。ここで，これらの処理は，上記判定信号や切り換え信号により制御されている。」
　
エ．「【００５０】一方，イレース回路２１７から出力された画像信号は，プリンタユニット１０２のＬＤ駆動回路２１９に入力される。次に，プリンタユニット１０２について説明する。
【００５１】先ずＬＤ駆動回路２１９では，入力された画像信号に応じてパルス幅変調やパワー変調等を行なってＬＤ（レーザ・ダイオード）２２０を駆動し，これによってＬＤ２２０の点灯強度を調整している。
【００５２】またプリンタ制御回路２２１では，システム制御ユニット２０３と通信を行なうと共に，プリンタユニット１０２全体を制御している。例えばＬＤ駆動回路２１９を制御してＬＤ２２０を強制消灯したり，ポリゴンモータ１１６，感光体ドラム１１５を回転駆動するドラム駆動モータ２２２及び転写ベルト１１９を回転駆動するベルト駆動モータ２２３等の回転制御，また現像ユニット１１８の現像部Ｋ，Ｃ，Ｍ及びＹの選択制御，高圧電源２２４の各負荷（例えば帯電チャージャ，現像部，転写ベルト１１９，転写チャージャ１２４等）毎の出力制御，更に熱定着ユニット１２５の温度制御等々を行なう。尚，プリンタユニット１０２は，上述の給紙カセット１２０ａ及び１２０ｂ毎に，収納された記録紙１２１ａ及び１２１ｂの大きさを検出する図示しない紙サイズセンサを有しており，その検出結果はプリンタ制御回路２２１に出力されている。
【００５３】最後に操作表示ユニット２０１について説明する。操作表示ユニット２０１は，原稿１０３上の所定の範囲・位置等を入力するためのデジタイザ２２５，各種モードの選択肢や設定状態等を表示する表示部と該表示部の押下位置を検出する検出部が一体となったＴＰＤ（タッチ・パネル・ディスプレイ）２２６，コピー枚数やコピー開始等を入力するためのキーボード２２７，並びに，操作表示制御回路２２８から構成されている。」
　
オ．「【００６１】次に，２色カラーモードが選択される場合の制御の流れを説明する。図３（ｃ）に例示したようなカラーモード選択画面の表示状態において，操作者が表示部分「２色カラー」を押下すると，操作表示制御回路２２８は，該操作を検出して図４（ａ）に示すような画面を表示し，レッドの２色カラーモード選択が認識されたことを操作者に伝える。
【００６２】また操作表示制御回路２２８では，システム制御ユニット２０３にレッドの２色カラーモード用の設定を要求する。システム制御ユニット２０３はこれを受けて画像処理制御回路２１８にレッドの２色カラーモード用の設定を要求し，画像処理制御回路２１８は該設定要求を受けて領域制御回路２１５及び色補正回路２１４等の設定を行なう。例えば，色補正回路２１４がレッドの２色カラーモードに適したトナー記録量に変換する色補正処理を行なうように設定される。
【００６３】またシステム制御ユニット２０３は，プリンタ制御回路２２１等にもレッドの２色カラーモード用の動作制御を要求する。プリンタ制御回路２２１では，該動作制御要求を受けて，実際の複写動作に際して，Ｋ，Ｍ，Ｙの順に現像部を選択すると共に，原稿の読み取り，静電潜像の形成，トナー像の形成及びトナー像の転写動作を３回行なった後，転写ベルト１１９上のトナー像を記録紙に再転写させる等の動作制御を行なう。
【００６４】尚，２色カラーモードの中ではレッドが使用される割合が高いため，本実施例ではレッドがデフォルトで選択されるが，他の色の２色カラーモードも選択できる。即ち，図４（ａ）に示すような表示状態で，操作者が表示部分「色変更」を押下すると，操作表示制御回路２２８はこの操作を検出して，図４（ｂ）に示すような２色カラーモード色指定画面を表示する。これによって操作者は２色カラーモードにおける色指定が可能になる。例えば，図４（ｂ）に示す状態で操作者が表示部分「シアン」を押下すると，操作表示制御回路２２８はこの操作を検出して，図４（ｃ）に示すような画面を表示し，シアンの２色カラーモード選択が認識されたことを操作者に伝える。
【００６５】また操作表示制御回路２２８は，システム制御ユニット２０３にシアンの２色カラーモード用の設定を要求する。システム制御ユニット２０３はこれを受けて画像処理制御回路２１８にシアンの２色カラーモード用の設定を要求し，画像処理制御回路２１８は該設定要求を受けて領域制御回路２１５及び色補正回路２１４等の設定を行なう。例えば，色補正回路２１４がシアンの２色カラーモードに適したトナー記録量に変換する色補正処理を行なうように設定される。
【００６６】またシステム制御ユニット２０３は，プリンタ制御回路２２１等にもシアンの２色カラーモード用の動作制御を要求する。プリンタ制御回路２２１では，該動作制御要求を受けて，実際の複写動作に際して，Ｋ，Ｃの順に現像部を選択すると共に，原稿の読み取り，静電潜像の形成，トナー像の形成及びトナー像の転写動作を２回行なった後，転写ベルト１１９上のトナー像を記録紙に再転写させる等の動作制御を行なう。
【００６７】また図４（ｂ）において，表示部分「登録色１」〜「登録色３」は，登録色１から登録色３（それぞれ現像部Ｃ，Ｍ，Ｙ及びＫの各記録値の組合せで，予め登録してある色）の２色カラーモードを選択する場合に押下され，表示部分「原稿色」は，原稿上の色を使って，２色カラーモードにおいて使用する色の指定を行う場合に押下される。例えば後者の場合，ＴＰＤ２２６に表示される手順に従って，色読み取り用原稿の所望する色のある位置を操作者がデジタイザ２２５で入力することになる。
【００６８】この場合，システム制御ユニット２０３は，プラテン１０４上に置かれた色読み取り用原稿をスキャナ制御回路２０９に読み取らせると共に，画像処理制御回路２１８にデジタイザ２２５で入力された位置の画像信号をサンプリングさせる。更に，サンプリングした画像信号を元に最適な現像部Ｃ，Ｍ，Ｙ及びＫの記録値の組合せを画像処理制御回路２１８に決定させる。
【００６９】このようにして決められた現像部Ｃ，Ｍ，Ｙ及びＫの記録値の組合せは，２色カラーモード用の設定要求と共に，システム制御ユニット２０３から画像処理制御回路２１８に送られる。画像処理制御回路２１８では，該設定要求を受けて領域制御回路２１５及び色補正回路２１４等の設定を行なう。つまり，色補正回路２１４が決められた現像部Ｃ，Ｍ，Ｙ及びＫの記録値の組合せの２色カラーモードに適したトナー記録量に変換する色補正処理を行なうように設定される。
【００７０】またシステム制御ユニット２０３は，プリンタ制御回路２２１等にも決められた現像部Ｃ，Ｍ，Ｙ及びＫの記録値の組合せの２色カラーモードの動作制御を要求する。プリンタ制御回路２２１では，該動作制御要求を受けて，実際の複写動作に際して，現像部Ｋ，Ｃ，Ｍ，Ｙの順に現像部を選択すると共に（但し，記録値が”０”の場合は省略），原稿の読み取り，静電潜像の形成，トナー像の形成及びトナー像の転写動作を必要な回数行なった後，転写ベルト１１９上のトナー像を記録紙に再転写させる等の動作制御を行なう。
【００７１】再度，図４（ｃ）を参照すると，この状態で操作者が図示しないキーボード２２７のコピー開始用のキーを押下すると，操作表示制御回路２２８はこの操作を検出して，システム制御ユニット２０３にコピー動作の開始を要求する。システム制御ユニット２０３では，該動作開始要求を受けて，スキャナ制御回路２０９やプリンタ制御回路２２１等の制御回路にコピー動作の開始を要求する。更に各ユニットの制御回路では，該動作開始要求を受けて各ユニットを制御し，上述のようなコピー動作を行なって，所望の色の２色カラーコピーを排出する。
【００７２】また，図４（ｃ）のような表示状態において，操作者が表示部分「カラー選択」を押下すると，再度，図３（ｃ）に類似した画面が表示されるので，操作者は，表示部分「２色カラー」以外の表示部分を押下することで，２色カラーモードの選択を解除することができる。
【００７３】以上のように，本実施例のカラー複写機では，カラーモード選択画面において，表示部分「２色カラー」を押下するだけで２色カラーモードの設定が行なえるので，２色コピーの操作が極めて容易になっている。また，本実施例では，２色カラーモード色指定画面において，所望の色の表示部分を押下するだけで２色カラーコピーモードの色設定が行なえるので，２色コピーの色指定操作も容易になっている。」
　
　以上の記載から、刊行物１には以下の発明（以下、刊行物１発明という）が記載されている。
　
　スキャナユニットで読み取った、又は、コンピュータから入力した画像信号の複製画を出力するカラー複写機において、
　２色カラーモードが選択された場合、画像信号を２色カラーモードに適したトナー記録量に変換する色補正処理を行う色補正回路と、
　前記トナー記録量により記録するプリンタユニットと、
　コピー枚数を入力するためのキーボードと、
　を有するカラー複写機。
　
　また、原査定の拒絶の理由で引用された本願の出願日前に頒布された刊行物である特開平７−２９８０６７号公報（以下、刊行物２という）には、図面とともに、次のカ〜クの事項が記載されている。
　
カ．「【０００１】
【産業上の利用分野】本発明は、画像処理装置に関し、より具体的には、カラー画像と白黒画像が混在することのある画像情報をモノクロ画像出力手段及びカラー画像出力手段で出力し分ける画像処理装置に関する。」
　
キ．「【０００７】
【課題を解決するための手段】本出願に係る発明では、出力しようとする一連の画像情報にカラー画像が含まれるか否かを判別し、その判別結果に応じて、カラー画像が含まれる場合には、当該一連の画像情報をカラー画像出力手段に供給し、カラー画像が含まれない場合に、当該一連の画像情報をモノクロ画像出力手段に供給する。そして、各出力手段への供給状況を表示手段に表示する。」
　
ク．「【００１３】図１は、カラー・ファクシミリ装置に適用した本発明の一実施例の概略構成ブロック図を示す。図１において、１０は全体を制御する主制御回路であり、例えば、ＣＰＵ、ＲＯＭ及びＲＡＭを具備するマイクロコンピュータなどからなる。１２は、送信すべき画像を符号化し、受信した符号化画像信号を復号化する画像符号化復号化回路である。１４は、一回の受信ごと、又は受信のページごとにカラー画像が含まれるか否かを判別するカラー／白黒判別回路であり、ＣＭＹＫ系とＲＧＢ系との間で画像を相互変換するγ変換回路を具備する。カラー／白黒判別回路１４はまた、多値画像から２値画像への変換機能も具備する。」
　
３．対比
　本願発明と刊行物１発明とを対比する。
　
　刊行物１発明の「スキャナユニットで読み取った、又は、コンピュータから入力した画像信号の複製画を出力するカラー複写機」は、「読取られた若しくは、コンピュータから送られた画像データを出力する画像処理装置」といえることは明らかである。
　
　刊行物１発明の「２色カラーモードが選択された場合、画像信号を２色カラーモードに適したトナー記録量に変換する色補正処理を行う色補正回路」について、刊行物１発明は、カラー複写機であるから、「画像信号」は、「モノクロ以外のカラーを含むデータ」であることは明らかであり、それを変換した「２色カラーモードに適したトナー記録量」は、画像信号を色補正回路で変換した、プリンタユニットにより２色カラーで記録するための画像に関する数値であるから「２色画像データ」といえるものである。また、「２色画像データ」は「第１の単色カラーと第２の単色カラーとからなる」ことは明らかである。
　したがって、刊行物１発明の「２色カラーモードが選択された場合、画像信号を２色カラーモードに適したトナー記録量に変換する色補正処理を行う色補正回路」は、本願発明の「モノクロ以外のカラーを含むデータに基づいて第１の単色カラーと第２の単色カラーとからなる２色画像データを生成する２色画像データ生成手段」に相当する。
　
　刊行物１発明の「前記トナー記録量により記録するプリンタユニット」は、本願発明の「上記２色画像データ生成手段により生成された２色画像データを記録紙に出力する２色画像データ出力手段」に相当する。
　
　刊行物１発明において、２色カラーモードが選択された場合において、キーボードから入力されるコピー枚数は、２色画像データの出力部数といえるから、刊行物１発明の「コピー枚数を入力するためのキーボード」は、本願発明の「ユーザーによる２色画像データ出力部数の入力を受け付ける受付手段」に相当するものである。また、プリンタユニットは、キーボードにより入力されたコピー枚数分を記録するものである（本願発明の「上記２色画像データ出力手段は上記受付手段によって受け付けられた部数出力するものである」に相当）のは明らかである。
　
　以上をまとめると、本願発明と刊行物１発明の一致点及び相違点は次のとおりである。
　
（一致点）
　読取られた若しくは、コンピュータから送られた画像データを出力する画像処理装置において、
　モノクロ以外のカラーを含むデータに基づいて第１の単色カラーと第２の単色カラーとからなる２色画像データを生成する２色画像データ生成手段と、
　上記２色画像データ生成手段により生成された２色画像データを記録紙に出力する２色画像データ出力手段と、
　ユーザーによる２色画像データ出力部数の入力を受け付ける受付手段と、
　を有し、
　上記２色画像データ出力手段は上記受付手段によって受け付けられた部数出力するものである、画像処理装置。
　
（相違点）本願発明は、「画像データが白黒のみのデータ、すなわち黒単色のモノクロデータであるか、それ以外のカラーを含むデータであるかを識別する画像識別手段」を有し、「受付手段」は、「上記画像識別手段が、上記画像データを白黒以外のカラーを含むデータであると識別している場合、」ユーザーによる２色画像データ出力部数の入力を受け付けるのに対し、刊行物１発明は、そのような画像識別手段を有していない点。
　
４．当審の判断
　相違点について検討する。
　出力しようとする画像情報にカラー画像が含まれるか否かを判別するカラー／白黒判別回路（本願発明の「画像データが白黒のみのデータ、すなわち黒単色のモノクロデータであるか、それ以外のカラーを含むデータであるかを識別する画像識別手段」に相当）を備え、カラー画像が含まれる場合にカラー画像出力を行う画像処理装置は、刊行物２に記載されているように周知のものである。
　したがって、刊行物１発明において、画像データが白黒のみのデータ、すなわち黒単色のモノクロデータであるか、それ以外のカラーを含むデータであるかを識別する画像識別手段を備え、白黒以外のカラーを含むデータであると識別している場合に、２色カラーモードとしてユーザーによる２色画像データ出力部数の入力を受け付けることは、当業者が容易に想到できることである。
　
　したがって、本願発明は、刊行物１に記載された発明及び周知技術に基づいて当業者が容易に発明をすることができたものである。
　
第４．まとめ
　以上のとおり、本願の請求項１に係る発明は、刊行物１に記載された発明及び周知技術に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。